(57)【特許請求の範囲】
【請求項１】
水を受けて気密シールを提供する室（３）を有する水受けトラップと、廃水を室（３）に送出する少なくとも２つの入口手段（４）と、室（３）から出る水のための少なくとも１つの排出口手段（５）とを備え、室（３）が蓋部分（７）を有し、前記入口手段（４）が、少なくともほぼ垂直に蓋部分（７）を通っており、また、室（３）が本質的に周囲の空間から閉鎖されている、幾つかの異なる衛生器具からの廃水を収集する廃水収集装置（２）において、蓋部分（７）が、前記室（３）を画定するベース部分（６）に着脱式に締め付けられ、前記入口手段（４）が蓋部分に移動可能に取り付けられることを特徴とする廃水収集装置。
【請求項２】
前記入口手段（４）が、その入口手段の縦軸線（８）に関して、蓋部分に交換自在に装着可能であることを特徴とする、請求項１に記載の廃水収集装置。
【請求項３】
前記蓋部分（７）が気密的にベース部分（６）に締め付けられていることを特徴とする、請求項１または２に記載の廃水収集装置。
【請求項４】
前記出口手段（５）が、ベース部分の底部（６´）から所定の距離だけ隔てられた位置で、前記室（３）に開くよう配列されていることを特徴とする、請求項１から３までのいずれか１項に記載の廃水収集装置。
【請求項５】
前記出口手段（５）が前記ベース部分（６）の底部を通っていることを特徴とする、請求項４に記載の廃水収集装置。
【請求項６】
前記出口手段（５）がベース部分（６）の側壁を通っていることを特徴とする、請求項４に記載の廃水収集装置。
【請求項７】
入口手段（４）の出口が、出口手段（５）の入口よりベース部分の底部（６´）の近くまで延びていることを特徴とする、請求項４に記載の廃水収集装置。
【請求項８】
各入口手段（４）が回転自在に蓋部分（７）に装着されていることを特徴とする、請求項１から７までのいずれか１項に記載の廃水収集装置。
【請求項９】
各入口手段（４）が、垂直方向に調節可能であるように、蓋部分（７）に装着されていることを特徴とする、請求項１から８までのいずれか１項に記載の廃水収集装置。
【請求項１０】
種々の床レベル（１０）と、種々の床レベルに配列され、それぞれが廃水出口（１１）を有する１つまたは複数の衛生器具（１４）を有する複数のルーム・ユニット（１２）と、１つの床レベルから別の床レベルへ通じる廃水導管（９）と、各床レベル（１０）に関連する少なくとも１つの廃水収集装置（２）とを備え、前記廃水収集装置が水シールを提供する室（３）を有しており、また、該廃水収集装置が、床レベルより上方に入口手段（４）を有していて、前記廃水出口（１１）からの廃水を床レベルより上方において廃水収集装置に供給できるよう構成されるとともに、床レベルより下方に出口手段（５）を有していて、廃水を廃水収集装置（２）から床レベルより下方において排水導管（９）に供給できるように構成されている収容ユニットにおいて、前記廃水収集装置（２）が、蓋部分（７）と、蓋部分（７）に取り付けられた少なくとも２つの入口手段（４）とを有し、各入口手段（４）が蓋部分（７）に移動可能に装着されていて、接続方向および接続位置を選択できるようになっていることを特徴とする収容ユニット。
【請求項１１】
各廃水収集装置（２）が、ベース部分（６）および蓋部分（７）を備え、これらベース部分（６）および蓋部分（７）は、相互に着脱自在に締め付けられていて、前記室（３）を画定しており、また、前記ベース部分（６）が、床レベル（１０）の１つに締め付けられていて、床レベルの下方に延びていることを特徴とする、請求項１０に記載の収容ユニット。
【請求項１２】
各ルーム・ユニットがベース区域を有し、各廃水収集装置（２）が、ルーム・ユニット（１２）のベース区域（１２´）の外側において、関連する１つの床レベル（１０）に配置され、ルーム・ユニットに関連する廃水吐出口が、別個の流路（１３）を使用して、廃水収集装置の入口手段（４）に接続されていることを特徴とする、請求項１０に記載の収容ユニット。
【請求項１３】
１つの廃水収集装置に２つのルーム・ユニットの廃水吐出口が接続され、廃水収集装置（２）が２つのルーム・ユニット（１２）の共通するサービススペース（１５）に配置されていることを特徴とする、請求項１２に記載の収容ユニット。
【請求項１４】
出口手段（５）が、ベース部分の底部（６´）から所定の距離だけ隔てられた位置で前記室（３）に対して開いている入口開口を有し、入口手段（４）が、出口手段の入口開口よりベース部分の底部の近くに配置されることを特徴とする、請求項１１に記載の収容ユニット。
【請求項１５】
各廃水収集装置（２）の蓋部分（７）が、該蓋部分が装着されている床レベル（１０）とほぼ同じレベルにあることを特徴とする、請求項１０から１４までのいずれか１項に記載の収容ユニット。
【請求項１６】
請求項１から１５までのいずれか１項に記載の収容ユニットを有する船舶。
【請求項１７】
種々の床レベル（１０）と、種々の床レベルに配置され、それぞれが廃水出口手段（１１）に接続された廃水出口を有する１つまたは複数の衛生器具（１４）を有する複数のルーム・ユニット（１２）と、各床レベル（１０）に関連して設けられ、水シールを提供する水受け室（３）を画定するベース部分（６）および蓋部分（７）を備えている少なくとも１つの廃水収集装置（２）とを有する収容ユニットを形成する方法であって、
種々の廃水収集装置（２）のベース部分（６）を、各床レベルの所定の位置に取り付けるステップと、
２つのルーム・ユニットが各廃水収集装置（２）に関連するように、前記ルーム・ユニット（１２）を床レベルの所定の位置に配置するステップと、
蓋部分（７）をそれに関連するベース部分（６）に取り付けるステップと、
ルーム・ユニット（１２）の廃水出口手段を廃水収集装置（２）に接続するステップとを含む方法。
【請求項１８】
ベース部分（６）を、そのベース部分が装着されている床レベルとほぼ同じレベルで取り付けることを特徴とする、請求項１７に記載の方法。
【請求項１９】
収容ユニットが船舶の一部であり、ルーム・ユニットが船舶のキャビンであることを特徴とする、請求項１７または１８に記載の方法。
【発明の詳細な説明】
【０００１】
【発明の属する技術分野】
本発明は、１つまたは複数のルーム・ユニットに配置された衛生器具から共通の集水パイプへ廃水を収集する廃水収集装置に関する。特に、しかし排他的ではなく、ルーム・ユニットには、船舶または航空機のキャビンが含まれるが、ルーム・ユニットを建物に設けることもできる。本発明は、例えば、洗面台、シャワー、（渦流浴の）浴槽などの、「中水道水（ｇｒｅｙ  ｗａｒｅｒ）」廃水吐出部を有する衛生器具に関する。また、本発明は、このような廃水収集装置を設けた船舶（または建物）、およびこのような廃水収集装置を船舶（または建物）に設ける方法にも関する。
【０００２】
【従来の技術】
船舶においては、キャビンの衛生器具に、各器具の出口に隣接した別個の衛生トラップを設けることが知られている。各器具によって排出された廃水の一部は、関連するトラップ内に保持され、そのトラップが、器具とそれが設けられているキャビンとを主排水路またはパイプから分離する水シールを形成する。このような公知の水シールまたはロックは、適切に機能するためには一定の高さの液柱が必要である。また、幾つかの器具から共通の排水路に供給する廃水出口は、幾つかの水ロックを必要とし、これは投資費用を増大させ、貴重な空間を占有する。船舶では、特定の器具が使用されないため、トラップ内の水が蒸発し、トラップ内の水シールが破壊される可能性もある。
【０００３】
船舶の特定の問題は、船舶の異なるレベルで異なるクラスのキャビンを設ける必要があることである。適切に機能するよう、キャビンの床下に廃水吐出パイプまたは流路の水トラップまたはロックを取り付けるため、往々にして、キャビンの主要な床レベル若しくは床面より高くなるよう、キャビン内の洗面室の床レベル若しくは床面を上昇させる必要がある。しかしながら、これは、キャビンの異なる床レベルの間に不便な段差が生じるため、理想的な解決策ではない。問題の別の解決策は、キャビン・ユニットに上昇した床を設け、キャビン・ユニットのベースと、水トラップを組み込むために上昇させた床との間に作業スペースを設けることである。しかしながら、この解決策では、所定の船舶の高さに対する床レベルの数が少なくなり、したがって収容できるキャビンが少なくなる。例えば、現代の客船では、床レベルの数を１つ減少させると、キャビンの総数が２５０から３００減少することがあり、これは言うまでもなく船舶の収益性に大きい影響を与える。
【０００４】
船舶においては、キャビン・ユニットを異なる床レベルに配置し、特定の床レベルにあるキャビン・ユニットの水トラップまたはシールを、完全にその床レベルの下に配置することも知られている。しかし、この解決策は、船舶の建造中でも、保守作業の実行時でも、床レベルの下で作業を行うことは、不可能ではないまでも困難であるので、実際的でない。
【０００５】
【発明が解決しようとする課題】
本発明の目的は、ルーム・ユニットのために、そして特に、しかし排他的ではなく船舶のキャビンのために、既知の従来技術の問題を最小にするような、完全に新規な廃水収集装置を提供することである。本発明の他の目的は、器具から、特に船舶のキャビンに配置された器具から廃水を収集するために使用する空間が最小になる構成を提供することである。
【０００６】
【課題を解決するための手段】
本発明は、請求項１に記載されるような廃水収集装置を提供する。水シールのスペースを周囲の空間から閉鎖すると、そこからの水の蒸発が最少になり、したがって開放した水トラップと比較すると、シールが比較的長期間にわたって機能する状態になる。入口アセンブリを移動可能に装着することにより、廃水収集装置への入口の接続を調節することができる。典型的には、必要に応じて入口アセンブリを所望の方向に転換若しくは回転させて、衛生器具からの廃水出口と接続できるようにされる。各入口アセンブリの高さを調節可能にすることもできる。
【０００７】
本発明による廃水吐出装置は、船舶のキャビン等のルームユニットからの廃水吐出のためのスペースの効果的な使用および最小化を可能にする。
【０００８】
好ましくは、廃水収集装置は、受水室を形成するベース部分（基本部分）および蓋部分を備えている。ベース部分および蓋部分は、着脱可能に相互に固定されることが好ましい。前記入口手段が、その入口手段の縦軸に対して可逆的（ｒｅｖｅｒｓｉｂｌｅ）に蓋部分に装着できるようにするとよい。また、蓋部分を気密状態でベース部分に締め付けるとよい。
【０００９】
好ましくは、廃水吐出口手段が、ベース部分の底部から所定距離だけ隔てられた位置において室（水ロック・スペース）に開かれる（即ち、室に対して開口する）ように構成される。この廃水吐出口手段が、ベース部分の側壁を通って、または場合によってはベース部分の底部を通って延びるようにすることができる。前記入口手段は、廃水吐出口手段の入口よりもベース部分の底部に近い位置まで延在することが好ましい。
【００１０】
また、本発明は、請求項１１に記載の収容ユニットを提供する。この収容ユニットは、船舶内に形成されることが好ましい。この場合、船舶のキャビンがルーム・ユニットとなる。
【００１１】
廃水収集装置は、ルーム・ユニット（またはキャビン）のベース区域（若しくは基本区域）の外側位置で、収容ユニット（または船舶）の床レベル（若しくは床面）に配置すると有利である。また、衛生器具からの廃水出口を、別個のアセンブリ通路を使用して、廃水収集装置の入口アセンブリに接続するとよい。２つの隣接するルーム・ユニット（キャビン）からの廃水接続部を、ルーム・ユニット（キャビン）間の共通のサービススペースに配置された共通の廃水収集装置に接続すると有利である。この構成は、スペースの利用、構造、および保守の観点から有利である合理的解決策を提供する。
【００１２】
さらに、本発明は、請求項１８に記載されている、収容ユニットを形成する方法が提供される。この収容ユニットが船舶の一部であって、ルーム・ユニットがキャビンであるようにすることが好ましい。
【００１３】
種々の廃水収集装置のベース部分（即ち、基本部分）を各床レベルに、かつ各床レベルに対して同一レベルに設けると有利である。このようにすれば、ベース部分は、基本的に（最も好ましくは、完全に）、床レベルと同一レベルに位置することになる。ベース部分の所定の配列位置、およびルーム・ユニット（キャビン）の所定の配列位置は、各ベース部分の位置からそれに関連する２つのキャビンまでの距離がほぼ同じ距離になるよう定めると有利である。
【００１４】
本発明によって、種々の利点が得られる。まず、床レベルの数が所定数に定められているときに、船舶の全体高さを減少させることができる。このことは、船舶の重心位置に有利な影響を与える。また、キャビンの洗面ボックスと他のスペースとが同じレベルにあるようにし、それにより移動を容易にすることができる。さらに、水シールまたはロックを有する共通の収集路を使用することにより、従来の水ロックを多数使用せずに済む。
【００１５】
次に、本発明の実施形態を、添付図面を参照しながら、例示によってのみ説明する。
【００１６】
【発明の実施の形態】
図１は、キャビン区画１０´内で幾つかの床レベル若しくは床面１０に重ねられて配置された複数のキャビン１２若しくはその類似物を有する船舶１を示す。キャビン内の洗面台、シャワー、浴槽、渦流浴浴槽などの衛生器具からの廃水出口パイプは、キャビンの廃水出口手段１１に接続される。廃水は、出口手段１１を介して幾つかの垂直廃水パイプまたは収集路９に供給される。同じ床レベル１０にある複数のキャビン、又は１つ以上の異なる床レベルにあるキャビンからの廃水を１つの収集路９に供給することが可能である。特に、幾つかの廃水出口手段を、廃水収集装置２を介して、共通の収集路９に接続することができる。
【００１７】
図２は、衛生器具からの廃水（つまり「中水道水（ｇｒｅｙ  ｗａｔｅｒ）」）を収集路９に供給する方法を、さらに詳細に示す。図示された構成は、床レベルの上方に配列され、図２には部分的にしか図示されていない隣接するキャビン１２を備える。キャビンは、必要に応じて床レベルの適正位置に配置でき、かつ給水および廃水システムや電力線等の船舶のユーティリティ・システムに接続することができる、プレハブ式キャビン・ユニットであると有利である。キャビンで使用した廃水をキャビンの外へ導くため、各キャビンに廃水出口手段若しくは廃水吐出手段１１を設ける。各キャビン・ユニットに、例えば洗面台およびシャワーなどの多数の衛生器具を装備する。出水パイプ（図２の点線で図示）が、洗面台１４の出口を廃水出口手段１１の１つに接続する。さらなる廃水出口手段１１を、シャワーのシャワー区域１４´に接続する。図示の構成では、収集路９が異なる床レベル間で概ね垂直に延びる。各床レベルには、同一または異なる収集路９に接続された異なる収集装置２に接続された出水パイプが設けられている。収集装置２は、種々のキャビン・ユニット１２から排出された水を収集してそれを収集路９に供給できるようにする一方、種々のパイプおよび流路の気体空間を分離する水ロックまたはシールを提供する。したがって、キャビン１２等の廃水出口手段１１は、床レベル１０の上方に位置する接続パイプまたは流路１３を使用し、入口アセンブリ若しくは入口４を介して収集装置２に集合的に供給される。収集装置２は室若しくは水ロック・スペース３（図３参照）を有し、また、廃水をスペース３に供給する幾つかの廃水入口４が設けられている。収集装置を２つのキャビン１２間に配置し、それぞれのキャビンが２つの廃水出口手段１１を有する場合には、入口４は４つになる。収集装置２は、床レベル１０の下方に配列されたパイプによって、収集路９に接続される。
【００１８】
このようにして、複数の床リベル間の高さを増加させる必要がないか、若しくはキャビンの床を隆起させる必要がない水ロックまたは水シールを使用して、衛生器具からの廃水を効率的に収集する有利なキャビン装置若しくはキャビン配列体が得られる。衛生器具からの廃水の入口４は、蓋部分７に設けられた取付け部に調節可能に配置される。したがって入口４は、接続パイプ１１への接続方向に対して調節可能に（例えば回転できるように）配置することができる。また、入口４は、接続高さを調節するために、可動に（例えば上下に滑動可能であるなど）装着することができる。図示された好ましい構造では、各入口４は、蓋部分７に滑動および／または回転自在に装着された垂直部分、および廃水出口手段１１に接続するための水平の入口部分を有する。このようにして、衛生器具から排出された廃水は、シャワー区域１４´などの各使用ポイントから共通の収集装置２へと流れ、排出された廃水の幾つかの流れは単一の流れに結合され、その単一の流れが各使用ポイントへの共通の水ロックを形成する。共通の収集装置２から、廃水は収集路９へと流出する。
【００１９】
各キャビンの範囲は、そのキャビンのベース区域１２´によって画定され、隣接するキャビン１２対のベース区域１２´間に共通のサービススペース若しくは有用スペース１５を形成するようにされる。この有用スペースは、有用スペースの領域でベース区域を局所的に小さくすることによって形成される。図２に示したように、隣接するキャビンの隅は、有用スペース１５を提供するような形状にされる。このように、有用スペース１５は、これら２つのキャビンが占有する有効表面積の内側にあり、追加のスペースを必要としない。収集装置２は、キャビン１２の実際のベース区域１２´の外側にある船舶の床レベル１０に配置され、２つのキャビンの廃水出口手段１１は、共通の有用スペース１５に配列された１つの収集装置２に接続される。
【００２０】
図３、図４および図６は、衛生器具から排出された廃水を受ける収集装置２の種々の実施形態を示す。これら実施形態に共通して、各収集装置２は、気密シール３を形成する水ロックまたは水シールを提供するスペースまたは室３を有する。室３は、蓋部分７によって閉鎖されたベース部分６を有する。幾つかの水入口または入口アセンブリ４は、その下端が室３に収容された水に浸漬された状態で、室３内を延在する。入口アセンブリ４は、蓋部分にほぼ垂直に、蓋部分７を通って延在する。図示されているように、ベース部分はほぼ垂直の室３を形成する。蓋部分７は平坦であり、入口アセンブリが蓋部分７を通ってほぼ垂直に延在するよう、ほぼ水平に配置される。入口アセンブリ４は、必要に応じた配置にできるように、蓋７内に可動に装着される。したがって、入口アセンブリ４は、必要な接続方向へ自由に回転することができる。入口アセンブリは、例えば、その縦軸８に対して可逆的（ｒｅｖｅｒｓｉｂｌｅ）に配置することができる。また、蓋部分７は、収集装置２を装着した床レベル１０とほぼ同じレベルになるよう、適切に配置される。このことは、ベース部分６が、床レベル１０の下方に延在するよう配置されることを意味する。この構成により、接続方向を常に状況に応じて選択することができ、これにより入口アセンブリに有害な蛇行するコース若しくは蛇行部分を設ける必要がなくなる。また、入口アセンブリ４は床レベル１０の表面上に配置される。このことは、特に船舶において重要である。何故なら、垂直のスペースを犠牲にせずに、利用可能な高さの差を得ることが出来るから、換言すれば、接続路の降下若しくは傾斜（ｄｅｓｃｅｎｄｉｎｇ）が主に常に最少となるからである。
【００２１】
また、本発明による収集装置２の水ロック・スペースまたは室３は、ベース部分６に対する蓋部分７の接合部若しくは接続部を気密にするよう配列することにより、周囲の空間から基本的に閉鎖される。したがって、装置を長期間使用しない場合でも室３に収容された水は顕著なほど蒸発せず、したがって収集装置２の水ロックまたはシールが機能的であり続ける。保守を可能にするため、ベース部分６および蓋部分７は、相互に着脱式に締め付けることが好ましい。しかし、蓋部分７を、例えば溶接によってベース部分６に永久的に締め付けることも可能である。部分６および７は、船舶の外部で予め製造することができる。
【００２２】
収集装置２は、水ロック・スペース３から出る廃水のために少なくとも１つの排出口アセンブリ５を備える。排出口アセンブリ５は、その入口を介して、ベース部分の底部６´から所定の距離の位置で、水ロック・スペース３に開くように配置される。それに応じて、入口アセンブリ４は、その出口を、排出口アセンブリ５の入口よりベース部分の底部６´の近くに位置させるような位置まで、下方に延在する。
【００２３】
排出口アセンブリ５は、場合に応じ、図３に示すようにベース部分の側壁を通るか、図４に示すようにベース部分の底部６´を通るようにすることができる。図３に示したように、収集装置２にパイプ１６を装備すると有利である。このパイプ１６は、例えばプラグを外すことによって開放されて、水ロック・スペース３とサービススペース１５とを接続することができるようになっている。このようにすれば、サービススペース１５に水が存在した場合に、それをパイプ１６を通して収集室に導くことができる。この実施形態では、入口アセンブリ４およびパイプ１６は水ロックの表面の下方へ導かれており、収集路９の気体が蓋部分７に連通するようになっている。図４には、収集路９の気体が蓋部分７と連通していない実施形態が示されている。図４の５−５断面図である図５に示されているように、排出口アセンブリ５は、パイプ１７の形態の第２室の内側に配置されている。このパイプ１７は、蓋部分７を貫通して延在するよう配列され、パイプ１７の上部には蓋部分７の検査ハッチ１７´が設けられている。その検査ハッチを通して、排出口アセンブリ５の清掃等をすることができる。検査ハッチ１４´は、臭気がキャビンに拡散するのを防止するため、実質的に気密性でなければならない。この理由により、ガスケット１８が設けられている。
【００２４】
図６は、既述のものと類似しているが、収集路９が収集室２を貫通するよう配置された装置２を示す。この設計では、床レベル１０にあるサービススペース１５の区域は、可能な限り自由な状態にされている。また、この設計では、排出口アセンブリ５は、収集路９の壁に設けた１つまたは複数の開口５´を有している。
【００２５】
以上、本発明を、特定の実施形態に関連して述べてきたが、既述の技術的解決策は例示的なものにすぎないことは明白である。本発明は図示実施形態に制限されず、特許請求の範囲内で種々変更することが可能である。
【図面の簡単な説明】
【図１】船舶のキャビンおよびその排出水路の配列状態を示す概略図である。
【図２】衛生器具の廃水出口から船舶の収集路へ廃水を供給する構成を示す概略図である。
【図３】衛生器具から排出された廃水を収集する構成の一実施形態を示す概略図である。
【図４】衛生器具から排出された廃水を収集する構成の別の実施形態を示す概略図である。
【図５】図４の５−５断面図である。
【図６】衛生器具から排出された廃水を収集する構成の第３の実施形態を示す概略図である。
【符号の説明】
１  船舶
２  廃水収集装置
３  水ロック・スペース
４  入口アセンブリ
５  排出口アセンブリ
６  ベース部分
７  蓋部分
９  収集路
１０  床レベル
１１  廃水出口手段
１２  キャビン
１２´  ベース区域
１４  洗面台またはシャワーなど
１５  サービススペース
１７  パイプ
１７´  検査ハッチ
１８  ガスケット
【図１】
0004628599.tif 000002
【図２】
0004628599.tif 000003
【図３】
0004628599.tif 000004
【図４】
0004628599.tif 000005
【図５】
0004628599.tif 000006
【図６】
0004628599.tif 000007